(57)【要約】【課題】輸送時の振動・衝撃に強く画質劣化を起こしにくい光走査装置を提供する。【解決手段】筐体１１を装置本体９に固定する複数の固定箇所のうち、ミラー２２の調整部材１４に近い固定箇所は固定部１６として筐体１１のネジ穴１７にネジ１６Ａをねじ込み、装置本体９に筐体１１をネジ１６Ａでネジ止めする。ミラー２２の調整部材１４の近傍では、筐体１１はネジ１６Ａによる固定部１６としてリジッドに装置本体９に固定されるので、輸送時などに振動や衝撃を受けても筐体１１は強固に固定されているのでミラー２２の位置ズレ、角度の狂いなどは発生しにくい。【選択図】図２
2008191227.tif 000002
【特許請求の範囲】
【請求項１】
光源と、
前記光源からの光を偏向する偏向器と、
前記光源から発せられた光を反射又は屈折させる光学素子と、
前記光学素子の姿勢を調整する調整手段と、
前記光源、前記偏向器、前記光学素子および前記調整手段が取り付けられ複数の固定箇所で装置本体に固定される筐体と、を備え、
前記筐体は前記固定箇所を固定する筐体固定手段と、弾性部材で支持する筐体支持手段とによって装置本体に支持され、
前記調整手段に最も近い前記固定箇所を前記筐体固定手段で固定することを特徴とする被走査面上を走査露光する光走査装置。
【請求項２】
光源と、
前記光源からの光を偏向する偏向器と、
前記光源から発せられた光を反射又は屈折させる光学素子と、
前記光学素子の姿勢を調整する調整手段と、
前記光源、前記偏向器、前記光学素子および前記調整手段が取り付けられ複数の固定箇所で装置本体に固定される筐体と、を備え、
前記筐体は前記固定箇所を固定する筐体固定手段と、弾性部材で支持する筐体支持手段とによって装置本体に支持され、
前記光学素子に近い前記固定箇所を前記筐体固定手段で固定され、前記光学素子から遠い前記固定箇所を前記筐体支持手段で支持されることを特徴とする被走査面上を走査露光する光走査装置。
【請求項３】
光源と、
前記光源からの光を偏向する偏向器と、
前記光源から発せられた光を反射又は屈折させる光学素子と、
前記光学素子の姿勢を調整する調整手段と、
前記光源、前記偏向器、前記光学素子および前記調整手段が取り付けられ複数の固定箇所で装置本体に固定される筐体と、を備え、
前記筐体は前記固定箇所を固定する筐体固定手段と、弾性部材で支持する筐体支持手段とによって装置本体に支持され、
前記調整手段の各々に最も近い前記固定箇所を前記筐体固定手段で装置本体に固定されることを特徴とする光走査装置。
【請求項４】
光源と、
前記光源からの光を偏向する偏向器と、
前記光源から発せられた光を反射又は屈折させる光学素子と、
前記光学素子の姿勢を調整する調整手段と、
前記光源、前記偏向器、前記光学素子および前記調整手段が取り付けられ複数の固定箇所で装置本体に固定される筐体と、を備え、
前記筐体は前記固定箇所を固定する筐体固定手段と、弾性部材で支持する筐体支持手段とによって装置本体に支持され、
前記固定手段よりも前記調整手段に近い前記固定箇所は前記筐体固定手段で装置本体に固定されることを特徴とする光走査装置。
【発明の詳細な説明】
【技術分野】
【０００１】
本発明は光走査装置に関し、特に複数の光源を備え複数の光ビームにて走査露光を行う光走査装置に関する。
【背景技術】
【０００２】
従来より、レーザ光による走査露光を行う光走査装置において、レーザ光の光路をミラー等により折り返し感光体に照射することで、光学箱内の限定された空間内で十分な光路長を確保し光走査装置の大きさ（長さ）を小型化する構成が提案されている。
【０００３】
上記構成の光走査装置はネジによって複数箇所で装置本体の筐体に固定されるが、モーターの発熱によって、密閉されているモーター付近の光学箱の温度が上昇し、膨張しようとするのに対し、光学箱はネジによって固定され、完全に押さえ込まれ膨張できないようになっているため内部的に応力が発生し、光学レンズ群に歪が発生し照射位置ズレ、画像劣化が発生する。
【０００４】
さらには、折り返しミラーも光学箱に取り付けられているため、折り返しミラーの角度が変化し照射位置がずれる。さらには、光源部であるレーザー２０の取り付け位置・角度も変動してしまうため、照射位置ズレ、画像劣化等が発生してしまうという問題点があった。
【０００５】
前記照射位置ズレ及び画像劣化を防止するために、光走査装置の一端をネジで固定し、他端をバネで押圧支持することで温度上昇による寸法変化をコイルバネの弾性で吸収する構成が提案されている（例えば、特許文献１参照）。
【０００６】
上記例では、ポリゴンモーター側の２点をネジによって完全に固定し、折り返しミラー側の２点を段ビスとコイルバネとで押圧することにより光学箱をレーザースキャナステーに支持させている。
【０００７】
上記構成からなる走査光学系では、光学箱の位置決め基準はポリゴン側のネジであり、熱による光学箱の伸びは折り返しミラー側のコイルバネが吸収しているので、温度ドリフトの原因となる光学箱の変形を抑えることができる。
【０００８】
しかし上記例のように光ビームの位置を長尺レンズやミラーなどの光学部品調整する機構を有する光走査装置においては、その機構に対して長尺ミラー近傍の固定点を移動可能に支持してしまうと装置を顧客先に輸送する際の振動や特に衝撃によって光走査装置が画像形成装置から短時間的にではあるが浮き上がり、長尺ミラーの角度を調整する調整機構にストレスがかかり、結果としてミラーの角度が変動し、走査ビームの位置がずれてしまうといった問題がある。
【０００９】
本発明では、折り返しミラー近傍端の固定点をネジでリジッドに固定し、他端の固定をバネを介して行うことで、輸送時に掛かる振動衝撃による折り返しミラー調整機構へのストレスを軽減でき、折り返しミラーの姿勢が変動しないので、画質の劣化を抑えることができる。
【特許文献１】特開２００２−３１１３６５号公報
【発明の開示】
【発明が解決しようとする課題】
【００１０】
本発明は上記事実を考慮し、振動・衝撃で画質劣化を起こしにくい光走査装置を提供することを目的とする。
【課題を解決するための手段】
【００１１】
請求項１に記載の光走査装置は、光源と、前記光源からの光を偏向する偏向器と、前記光源から発せられた光を反射又は屈折させる光学素子と、前記光学素子の姿勢を調整する調整手段と、前記光源、前記偏向器、前記光学素子および前記調整手段が取り付けられ複数の固定箇所で装置本体に固定される筐体と、を備え、前記筐体は前記固定箇所を固定する筐体固定手段と、弾性部材で支持する筐体支持手段とによって装置本体に支持され、前記調整手段に最も近い前記固定箇所を前記筐体固定手段で固定することを特徴とする。
【００１２】
上記構成の発明では、ミラーなどの光学素子を固定する固定手段に近い固定箇所は熱変形などの寸法変化を吸収するために筐体を弾性部材で支持し、振動・衝撃に敏感な調整手段に近い固定箇所は固定支持することで、輸送時に掛かる振動・衝撃による光学素子の調整機構へのストレスを軽減でき、光学素子の姿勢変動を抑え、画質の劣化を防ぐ事が出来る。
【００１３】
請求項２に記載の光走査装置は、光源と、前記光源からの光を偏向する偏向器と、前記光源から発せられた光を反射又は屈折させる光学素子と、前記光学素子の姿勢を調整する調整手段と、前記光源、前記偏向器、前記光学素子および前記調整手段が取り付けられ複数の固定箇所で装置本体に固定される筐体と、を備え、前記筐体は前記固定箇所を固定する筐体固定手段と、弾性部材で支持する筐体支持手段とによって装置本体に支持され、前記光学素子に近い前記固定箇所を前記筐体固定手段で固定され、前記光学素子から遠い前記固定箇所を前記筐体支持手段で支持されることを特徴とする。
【００１４】
上記構成の発明では、ミラーなどの光学素子から遠い固定箇所は熱変形などの寸法変化を吸収するために筐体を弾性部材で支持し、振動・衝撃に敏感なミラーなどの光学素子に近い固定箇所は固定支持することで、輸送時に掛かる振動・衝撃による光学素子の調整機構へのストレスを軽減でき、光学素子の姿勢変動を抑え、画質の劣化を防ぐ事が出来る。特に１ＲＯＳタイプの画像形成装置において、よりミラーの姿勢変動に対して強くなる。
【００１５】
請求項３に記載の光走査装置は、光源と、前記光源からの光を偏向する偏向器と、前記光源から発せられた光を反射又は屈折させる光学素子と、前記光学素子の姿勢を調整する調整手段と、前記光源、前記偏向器、前記光学素子および前記調整手段が取り付けられ複数の固定箇所で装置本体に固定される筐体と、を備え、前記筐体は前記固定箇所を固定する筐体固定手段と、弾性部材で支持する筐体支持手段とによって装置本体に支持され、前記調整手段の各々に最も近い前記固定箇所を前記筐体固定手段で装置本体に固定されることを特徴とする。
【００１６】
上記構成の発明では、ミラーなどの光学素子を固定する固定手段に近い固定箇所は熱変形などの寸法変化を吸収するために筐体を弾性部材で支持し、振動・衝撃に敏感な調整手段に近い固定箇所は固定支持することで、輸送時に掛かる振動・衝撃による光学素子の調整機構へのストレスを軽減でき、光学素子の姿勢変動を抑え、画質の劣化を防ぐ事が出来る。特にタンデム型など複数のＲＯＳを用いる画像形成装置において、輸送時に掛かる振動・衝撃による光学素子の調整機構へのストレスを軽減でき、光学素子の姿勢変動を抑え、画質の劣化を防ぐ事が出来る。
【００１７】
請求項４に記載の光走査装置は、光源と、前記光源からの光を偏向する偏向器と、
前記光源から発せられた光を反射又は屈折させる光学素子と、前記光学素子の姿勢を調整する調整手段と、前記光源、前記偏向器、前記光学素子および前記調整手段が取り付けられ複数の固定箇所で装置本体に固定される筐体と、を備え、前記筐体は前記固定箇所を固定する筐体固定手段と、弾性部材で支持する筐体支持手段とによって装置本体に支持され、前記固定手段よりも前記調整手段に近い前記固定箇所は前記筐体固定手段で装置本体に固定されることを特徴とする。
【００１８】
上記構成の発明では、ミラーなどの光学素子を固定する固定手段に近い固定箇所は熱変形などの寸法変化を吸収するために筐体を弾性部材で支持し、振動・衝撃に敏感な調整手段に近い固定箇所は固定支持することで、輸送時に掛かる振動・衝撃による光学素子の調整機構へのストレスを軽減でき、光学素子の姿勢変動を抑え、画質の劣化を防ぐ事が出来る。特にタンデム型など複数のＲＯＳを用いる画像形成装置において、輸送時に掛かる振動・衝撃による光学素子の調整機構へのストレスを軽減でき、光学素子の姿勢変動を抑え、画質の劣化を防ぐ事が出来る。
【発明の効果】
【００１９】
本発明は上記構成としたので、輸送時の振動・衝撃に強く画質劣化を起こしにくい光走査装置とすることができた。
【発明を実施するための最良の形態】
【００２０】
＜装置概要＞
図１には本発明に係る光走査装置が示されている。
【００２１】
図１は本発明に係る光走査装置の内部構造を示す断面図である。
【００２２】
図１に示すように光走査装置１０はイエロー（Ｙ）、マゼンタ（Ｍ）、シアン（Ｃ）、ブラック（Ｋ）用の各感光体ドラム４０Ｙ〜４０Ｋに図示しない光源より発せられた光ビーム２１Ｙ〜２１Ｋを照射する。
【００２３】
感光体ドラム４０Ｙ〜４０Ｋは、共通の接平面を有するように一定の間隔をおいて配置されている。各色毎の画像情報に応じた信号は、図示しない画像処理ユニットにより光源に入力される。光源では、イエロー（Ｙ）、マゼンタ（Ｍ）、シアン（Ｃ）、ブラック（Ｋ）の各色の光ビーム２１が変調され、対応する色の感光体ドラム４０Ｙ〜４０Ｋに照射される。
【００２４】
光走査装置１０を含む画像形成装置本体において、上記各感光体ドラム４０Ｙ〜４０Ｋでは周知の電子写真方式による各色毎の画像形成プロセスが行なわれる。まず、上記感光体ドラム４０Ｙ〜４０Ｋとしては例えばＯＰＣ感光体を用いた感光体ドラムが用いられ、これらの感光体ドラム４０Ｙ〜４０Ｋは回転駆動される。上記感光体ドラム４０Ｙ〜４０Ｋの表面は帯電ロールによってＤＣ電圧を印加することで例えば約−３００Ｖ程度に帯電される。
【００２５】
表面電位を印加された感光体ドラム４０Ｙ〜４０Ｋの表面には、露光装置としての光走査装置１０によってイエロー（Ｙ）、マゼンタ（Ｍ）、シアン（Ｃ）、ブラック（Ｋ）の各色に対応した光ビーム２１Ｙ〜２１Ｋが照射され、各色毎の入力画像情報に応じた静電潜像が形成される。
【００２６】
光走査装置１０で光ビーム２１Ｙ〜２１Ｋが照射され、画像が書き込まれることにより、感光体ドラム４０Ｙ〜４０Ｋ上の画像露光部の表面電位は画線部、すなわち露光した箇所が除電され静電潜像が形成される。
【００２７】
次いで、上記感光体ドラム４０Ｙ〜４０Ｋの表面に形成されたイエロー（Ｙ）、マゼンタ（Ｍ）、シアン（Ｃ）、ブラック（Ｋ）の各色に対応した静電潜像は、対応する色の現像装置（図示せず）によって現像され、感光体ドラム４０Ｙ〜４０Ｋ上にイエロー（Ｙ）、マゼンタ（Ｍ）、シアン（Ｃ）、ブラック（Ｋ）の各色のトナー像として現像され可視化される。
【００２８】
各現像装置には、それぞれ色の異なったイエロー（Ｙ）、マゼンタ（Ｍ）、シアン（Ｃ）、ブラック（Ｋ）色のトナー及びキャリアからなる現像剤が充填されている。これらの現像装置はトナー補給装置からトナーが補給され、補給されたトナーは各現像装置内部のオーガーで充分にキャリアと攪拌されて摩擦帯電される。キャリアと攪拌されて摩擦帯電されたトナーは図示しない現像ロール上で磁気ブラシを形成して感光体ドラム４０Ｙ〜４０Ｋと接触している。現像ロールに現像バイアス電圧を印加して、現像ロール上のトナーを感光体ドラム４０Ｙ〜４０Ｋ上に形成された静電潜像にトナーを転写することにより、イエロー（Ｙ）、マゼンタ（Ｍ）、シアン（Ｃ）、ブラック（Ｋ）の各色のトナー画像が形成される。このトナー画像を図示しない用紙Ｐあるいは中間転写ベルトなどの被転写体上に転写することでカラー画像が形成される。すなわち、上記各感光体ドラム４０Ｙ〜４０Ｋ上に形成されたイエロー（Ｙ）、マゼンタ（Ｍ）、シアン（Ｃ）、ブラック（Ｋ）の各色のトナー像が被転写体上に位置合わせを行い、重ねてそれぞれ転写される。
【００２９】
所定の方向（例えば図中上から下）に被転写体が搬送されると被転写体上ではＹ単色像上にシアン（Ｃ）、マゼンタ（Ｍ）、ブラック（Ｋ）色が転写され、四重色像として最終的なフルカラートナー像が形成される。被転写体が中間転写ベルトあるいはドラムであれば最後に用紙Ｐ上にフルカラートナー像が転写される。用紙Ｐ上に形成されたイエロー（Ｙ）、マゼンタ（Ｍ）、シアン（Ｃ）、ブラック（Ｋ）のフルカラートナー像は図示しない定着器によって熱溶着されることで用紙Ｐ上に定着され、一連の画像形成プロセスが完了する。
【００３０】
＜光学素子の固定／本体の固定＞
図２には本発明の第１実施形態に係る光走査装置が示されている。
【００３１】
図２に示すように、光走査装置１０の筐体１１内部にはミラー２２に代表される光学素子が設けられ、ポリゴンミラー２０で偏向されたレーザ光２１の光路を折り曲げることで光走査装置１０のサイズを抑え、画像形成装置全体の大きさを抑えることができる。
【００３２】
このミラー２２等の光学素子を支持固定するため、図２に示すように筐体１１にはミラー２２を支持する固定部材１２が設けられ、ミラー２２の一方の端を固定している。
【００３３】
また、ミラー２２の角度を調整し、光ビーム２１の光軸を修正する調整部材１４が設けられミラー２２の他端を調整可能に支持している。
【００３４】
図３に示すように調整部材１４は例えば支点１４Ａにてミラー２２を裏面から支持し、反射面をバネ１４Ｂで押圧する。バネ１４Ｂの押圧力で裏面側に付勢されるミラー２２を支点１４Ａからオフセットした位置で押しネジ１４Ｃが位置決めする。
【００３５】
押しネジ１４Ｃの締め込み量でミラー２２の裏面位置が決定されるので、図３のようにミラー２２の角度を押しネジ１４Ｃの回転で調整することが可能となり、光ビーム２１の反射角度を調整し、感光体ドラム４０上に正しく結像／走査させることができる。
【００３６】
このときミラー２２を固定するに際しては、筐体１１と一体的に形成された支点１４Ａに向けて固定部材１２がミラー２２を付勢・押圧しているので、外部から振動や衝撃が加わってもミラー２２の姿勢に変化はない。
【００３７】
しかし調整部材１４は図３に示すように、ミラー２２の姿勢を調整するために押しネジ１４Ｃでミラー２２を背面から位置決めし、反射面側からバネ１４Ｂで押圧・付勢することでミラー２２を保持している。これにより押しネジ１４Ｃを矢印１４Ｆ方向に押し引きすることでミラー２２の角度を矢印１４Ｅのように調整することができる。
【００３８】
しかし押しネジ１４Ｃは板金１４Ｇにネジ込まれているのみであって、調整のために完全には固定された状態ではないので、衝撃や振動が加わり筐体１１が装置本体９から離れることにより調整部材１４にストレスが加わり、ミラー２２が矢印２２Ａ方向に移動すると、バネ１４Ｂによって元の場所に戻ろうとする。しかしこのとき押しネジ１４Ｃが矢印１４Ｄ方向に首を振り、ミラー２２もまた矢印１４Ｅ方向に姿勢が変化してしまうため光ビーム２１の反射方向が矢印２１Ａ方向に変動してしまう。
【００３９】
そこで本実施形態では図２に示すように、筐体１１を装置本体９に固定する複数の固定箇所のうち、ミラー２２の調整部材１４に近い固定箇所は固定部１６として筐体１１のネジ穴１７にネジ１６Ａをねじ込み、装置本体９に筐体１１をネジ１６Ａでネジ止めする。
【００４０】
これによりミラー２２の調整部材１４の近傍では、筐体１１はネジ１６Ａによる固定部１６としてリジッドに装置本体９に固定されるので、輸送時などに振動や衝撃を受けても筐体１１は強固に固定されているのでミラー２２の位置ズレ、角度の狂いなどは発生しにくい。
【００４１】
一方、ミラー２２の固定部材１２に近い固定箇所は支持部１８として筐体１１のバカ穴１９を通して装置本体９にネジ１８Ａをねじ込み、装置本体９に筐体１１をバネ１８Ｂで押圧、支持する。
【００４２】
これによりミラー２２の固定部材１２の近傍では、筐体１１はバネ１８Ｂによる支持部１８として装置本体９に押圧、支持されるので、熱による筐体１１の寸法変化が発生してもネジ１８Ａとバカ穴１９の寸法差範囲内で寸法変化を吸収することができる。このため使用中の装置本体９内部熱源による温度変化があっても筐体１１が歪み、変形を起こす虞はない。
【００４３】
さらに輸送時などに振動や衝撃を受け、バネ１８Ｂによる弾性で筐体１１を支持する支持部１８では振動、衝撃を減衰し切れない場合でも、支持部１８の近傍ではミラー２２は固定部材１２で筐体１１に強固にネジ止め固定されているので、ミラー２２の位置ズレ、角度の狂いなどは発生しにくい。
【００４４】
＜本体の固定／他の形態＞
図４には本発明の第２実施形態に係る光走査装置の、画像形成装置本体への固定方法が示されている。
【００４５】
図４に示すように本実施形態では筐体１１を装置本体９に固定する複数の固定箇所のうち、ミラー２２に近い固定箇所（図中左側）は固定部１６として筐体１１のネジ穴１７にネジ１６Ａをねじ込み、装置本体９に筐体１１をネジ１６Ａでネジ止めする。
【００４６】
これによりミラー２２、特にミラー２２の調整部材１４の近傍では、筐体１１はネジ１６Ａによる固定部１６としてリジッドに装置本体９に固定されるので、輸送時などに振動や衝撃を受けても筐体１１は強固に固定されているのでミラー２２の位置ズレ、角度の狂いなどは発生しにくい。
【００４７】
一方、ミラー２２から遠い（図中右側）固定箇所は支持部１８として筐体１１をバネ１８Ｂで押圧、支持する。このとき、支持部１８は筐体１１のバカ穴を通して装置本体９にネジ１８Ａをねじ込み、装置本体９に筐体１１をバネ１８Ｂで押圧、支持する第１実施形態の方法でもよいが、図４（Ｂ）に示す方法でもよい。
【００４８】
すなわち、図４（Ｂ）のように筐体１１に設けられた被支持部１１Ｂに対して、押圧部材１８Ｃに設けられた支持部１８Ｄにてバネ１８Ｂを保持／押圧して装置本体９に向けて付勢することで筐体１１を装置本体９に押し付ける。
【００４９】
これによりミラー２２から遠い側の固定箇所（図中右側）では、筐体１１はバネ１８Ｂによる支持部１８によって装置本体９に押圧、支持されるので、熱による筐体１１の寸法変化が発生しても被支持部１１Ｂと支持部１８Ｄの寸法差範囲内で寸法変化を吸収することができる。このため使用中の装置本体９内部熱源による温度変化があっても筐体１１が歪み、変形を起こす虞はない。
【００５０】
さらに輸送時などに振動や衝撃を受け、バネ１８Ｂによる弾性で筐体１１を支持する支持部１８では振動、衝撃を減衰し切れない場合でも、支持部１８の近傍ではミラー２２は筐体１１に強固にネジ止め固定されているので、ミラー２２の位置ズレ、角度の狂いなどは発生しにくい。
【００５１】
＜本体の固定／他の形態＞
図５には本発明の第３実施形態に係る光走査装置の、画像形成装置本体への固定方法が示されている。
【００５２】
図５に示すように本実施形態では筐体１１を装置本体９に固定する複数の固定箇所のうち、複数あるミラー２２の調整部材１４に近い固定箇所（図中下側）は固定部１６として筐体１１のネジ穴１７にネジ１６Ａをねじ込み、装置本体９に筐体１１をネジ１６Ａでネジ止めする。
【００５３】
これにより複数あるミラー２２の調整部材１４の近傍では、筐体１１はネジ１６Ａによる固定部１６としてリジッドに装置本体９に固定されるので、輸送時などに振動や衝撃を受けても筐体１１は強固に固定されているのでミラー２２の位置ズレ、角度の狂いなどは発生しにくい。
【００５４】
一方、ミラー２２の調整部材１４から遠い（図中上側）固定箇所は支持部１８として筐体１１をバネ１８Ｂで押圧、支持する。支持部１８は筐体１１のバカ穴１９を通して装置本体９にネジ１８Ａをねじ込み、装置本体９に筐体１１をバネ１８Ｂで押圧、支持する。
【００５５】
これによりミラー２２の調整部材１４から遠い側（図中上側）の固定箇所では、筐体１１はバネ１８Ｂによる支持部１８によって装置本体９に押圧、支持されるので、熱による筐体１１の寸法変化が発生しても、バカ穴１９とネジ１８Ａの寸法差範囲内で寸法変化を吸収することができる。このため使用中の装置本体９内部熱源による温度変化があっても筐体１１が歪み、変形を起こす虞はない。
【００５６】
さらに輸送時などに振動や衝撃を受け、バネ１８Ｂによる弾性で筐体１１を支持する支持部１８では振動、衝撃を減衰し切れない場合でも、支持部１８の近傍ではミラー２２は固定部材１２で筐体１１に強固にネジ止め固定されているので、ミラー２２の位置ズレ、角度の狂いなどは発生しにくい。このとき複数ある固定部１６のうち最も調整部材１４から遠い箇所にある固定部１６（図中右下）はバネ１８Ｂによる支持部１８としてもよい。
【００５７】
＜本体の固定／他の形態＞
図６には本発明の第４実施形態に係る光走査装置の、画像形成装置本体への固定方法が示されている。
【００５８】
図６に示すように本実施形態では筐体１１を装置本体９に固定する複数の固定箇所のうち、複数あるミラー２２の調整部材１４に近い固定箇所（図中下側）は固定部１６として筐体１１のネジ穴１７にネジ１６Ａをねじ込み、装置本体９に筐体１１をネジ１６Ａでネジ止めする。図６のように調整部材１４の数が近傍の固定箇所よりも多い場合、複数の調整部材１４から見て最も近い固定箇所（図中左下）を固定部１６とする。
【００５９】
これにより複数あるミラー２２の調整部材１４の近傍では、筐体１１はネジ１６Ａによる固定部１６としてリジッドに装置本体９に固定されるので、輸送時などに振動や衝撃を受けても筐体１１は強固に固定されているのでミラー２２の位置ズレ、角度の狂いなどは発生しにくい。
【００６０】
一方、ミラー２２の調整部材１４から遠い（図中上側・右側）固定箇所は支持部１８として筐体１１をバネ１８Ｂで押圧、支持する。支持部１８は筐体１１のバカ穴１９を通して装置本体９にネジ１８Ａをねじ込み、装置本体９に筐体１１をバネ１８Ｂで押圧、支持する。
【００６１】
これによりミラー２２の調整部材１４から遠い側（図中上側・右側）の固定箇所では、筐体１１はバネ１８Ｂによる支持部１８によって装置本体９に押圧、支持されるので、熱による筐体１１の寸法変化が発生しても、バカ穴１９とネジ１８Ａの寸法差範囲内で寸法変化を吸収することができる。このため使用中の装置本体９内部熱源による温度変化があっても筐体１１が歪み、変形を起こす虞はない。
【００６２】
さらに輸送時などに振動や衝撃を受け、バネ１８Ｂによる弾性で筐体１１を支持する支持部１８では振動、衝撃を減衰し切れない場合でも、支持部１８の近傍ではミラー２２は固定部材１２で筐体１１に強固にネジ止め固定されているので、ミラー２２の位置ズレ、角度の狂いなどは発生しにくい。
【００６３】
＜本体の固定／他の形態＞
図７には本発明の第５実施形態に係る光走査装置の、画像形成装置本体への固定方法が示されている。
【００６４】
図７に示すように本実施形態では筐体１１を装置本体９に固定する複数の固定箇所のうち、複数あるミラー２２の調整部材１４に近い固定箇所（図中下側）は固定部１６として筐体１１のネジ穴１７にネジ１６Ａをねじ込み、装置本体９に筐体１１をネジ１６Ａでネジ止めする。図６のように調整部材１４の数が近傍の固定箇所よりも多い場合、調整部材１４のうち、少なくとも一つの調整部材１４から見て最も近い固定箇所（図中下側）を固定部１６とする。
【００６５】
これにより複数あるミラー２２の調整部材１４の近傍では、筐体１１はネジ１６Ａによる固定部１６としてリジッドに装置本体９に固定されるので、輸送時などに振動や衝撃を受けても筐体１１は強固に固定されているのでミラー２２の位置ズレ、角度の狂いなどは発生しにくい。
【００６６】
一方、ミラー２２の調整部材１４から遠い（図中上側）固定箇所は支持部１８として筐体１１をバネ１８Ｂで押圧、支持する。支持部１８は筐体１１のバカ穴１９を通して装置本体９にネジ１８Ａをねじ込み、装置本体９に筐体１１をバネ１８Ｂで押圧、支持する。
【００６７】
これによりミラー２２の調整部材１４から遠い側（図中上側）の固定箇所では、筐体１１はバネ１８Ｂによる支持部１８によって装置本体９に押圧、支持されるので、熱による筐体１１の寸法変化が発生しても、バカ穴１９とネジ１８Ａの寸法差範囲内で寸法変化を吸収することができる。このため使用中の装置本体９内部熱源による温度変化があっても筐体１１が歪み、変形を起こす虞はない。
【００６８】
さらに輸送時などに振動や衝撃を受け、バネ１８Ｂによる弾性で筐体１１を支持する支持部１８では振動、衝撃を減衰し切れない場合でも、支持部１８の近傍ではミラー２２は固定部材１２で筐体１１に強固にネジ止め固定されているので、ミラー２２の位置ズレ、角度の狂いなどは発生しにくい。このとき少なくとも一つの固定部１６を除き、一つまたは複数の固定部１６（図中右下）はバネ１８Ｂによる支持部１８としてもよい。
【００６９】
＜本体の固定／他の形態＞
図８には本発明の第６実施形態に係る光走査装置の、画像形成装置本体への固定方法が示されている。
【００７０】
図８（Ｂ）に示すように本実施形態では筐体１１を装置本体９に固定する複数の固定箇所のうち、複数あるミラー２２の調整部材１４にそれぞれ最も近い固定箇所（図中下側）は固定部１６として筐体１１のネジ穴１７にネジ１６Ａをねじ込み、装置本体９に筐体１１をネジ１６Ａでネジ止めする。図８（Ａ）のように調整部材１４の数が近傍の固定箇所よりも多い場合、調整部材１４のうち、少なくとも一つの調整部材１４から見て最も近い固定箇所（図中下側）を固定部１６とする。
【００７１】
これにより複数あるミラー２２の調整部材１４の近傍では、筐体１１はネジ１６Ａによる固定部１６としてリジッドに装置本体９に固定されるので、輸送時などに振動や衝撃を受けても筐体１１は強固に固定されているのでミラー２２の位置ズレ、角度の狂いなどは発生しにくい。
【００７２】
一方、ミラー２２の調整部材１４から遠い（図中上側）固定箇所は支持部１８として筐体１１をバネ１８Ｂで押圧、支持する。支持部１８は筐体１１のバカ穴１９を通して装置本体９にネジ１８Ａをねじ込み、装置本体９に筐体１１をバネ１８Ｂで押圧、支持する。
【００７３】
これによりミラー２２の調整部材１４から遠い側（図中上側）の固定箇所では、筐体１１はバネ１８Ｂによる支持部１８によって装置本体９に押圧、支持されるので、熱による筐体１１の寸法変化が発生しても、バカ穴１９とネジ１８Ａの寸法差範囲内で寸法変化を吸収することができる。このため使用中の装置本体９内部熱源による温度変化があっても筐体１１が歪み、変形を起こす虞はない。
【００７４】
さらに輸送時などに振動や衝撃を受け、バネ１８Ｂによる弾性で筐体１１を支持する支持部１８では振動、衝撃を減衰し切れない場合でも、支持部１８の近傍ではミラー２２は固定部材１２で筐体１１に強固にネジ止め固定されているので、ミラー２２の位置ズレ、角度の狂いなどは発生しにくい。
【００７５】
＜その他＞
以上、本発明の実施例について記述したが、本発明は上記の実施例に何ら限定されるものではなく、本発明の要旨を逸脱しない範囲において種々なる態様で実施し得ることは言うまでもない。
【００７６】
すなわち本実施形態ではレーザプリンタを例に挙げたが、これに限定せず一端を調整可能な光学素子を備えた他種の光学機器でもよいことは言うまでもない。
【００７７】
あるいは保持部材で保持する光学素子は必ずしもミラーでなくレンズその他の素子でも差し支えはない。
【００７８】
また偏向素子はポリゴンミラー２０を用いたが、レゾナントスキャナやガルバノミラーであっても差し支えはない。
【図面の簡単な説明】
【００７９】
【図１】本発明に係る光走査装置を示す断面図である。
【図２】本発明の第１実施形態に係る光走査装置を示す平面図である。
【図３】本発明に係る光走査装置のミラー調整方法を示す図である。
【図４】本発明の第２実施形態に係る光走査装置を示す平面図である。
【図５】本発明の第３実施形態に係る光走査装置を示す平面図である。
【図６】本発明の第４実施形態に係る光走査装置を示す平面図である。
【図７】本発明の第５実施形態に係る光走査装置を示す平面図である。
【図８】本発明の第６実施形態に係る光走査装置を示す平面図である。
【符号の説明】
【００８０】
１０    光走査装置
１１    筐体
１２    固定部材
１４    調整部材
１６    固定部
１８    支持部
１８Ｂ  バネ
２０    ポリゴンミラー
２２    ミラー
【図１】
2008191227.tif 000003
【図２】
2008191227.tif 000004
【図３】
2008191227.tif 000005
【図４】
2008191227.tif 000006
【図５】
2008191227.tif 000007
【図６】
2008191227.tif 000008
【図７】
2008191227.tif 000009
【図８】
2008191227.tif 000010